(57)【要約】【課題】障子がスライドしている状態での枠体への引きこみを規制することができる建具の提供。【解決手段】第一レール部材２１と第二レール部材２２との長手方向に沿って障子３０をスライド自在とし、枠体１０から室外に突き出された第一レール部材２１および第二レール部材２２を、障子３０が閉鎖位置に位置する状態で枠体１０への引きこみを許容し、障子３０が閉鎖位置からスライドしている状態で枠体１０への引きこみを規制する突出維持部品７を備えた。障子３０が閉鎖位置からスライドした状態で、障子３０を第一レール部材２１および第二レール部材２２ごと枠体１０へ引き込もうとすると、障子３０が突出維持部品７に当接することになり、障子３０の枠体１０への引き込みが規制される。【選択図】図２
2014134069.tif 000002
【特許請求の範囲】
【請求項１】
枠体と、
この枠体に対して枠体の見込み方向に突き出しおよび引き込み可能に設けられた第一レール部材および第二レール部材と、
前記第一レール部材に案内される第一框および前記第二レール部材に案内される第二框を有し、前記第一レール部材および前記第二レール部材の長手方向に沿って閉鎖位置からスライド可能とされた障子と、
前記障子が閉鎖位置に位置する状態では、前記第一レール部材および前記第二レール部材の前記枠体への引きこみを許容し、前記障子が閉鎖位置からスライドしている状態では、前記第一レール部材および前記第二レール部材の前記枠体への引きこみを規制する突出維持部品と、を備えた建具。
【請求項２】
前記障子は、前記第一框および前記第二框の両端部同士を接続する第三框および第四框を有し、
前記突出維持部品は、
前記第一レール部材および前記第二レール部材の突き出し方向に出没自在とされたトリガー部材を備え、
前記障子が前記閉鎖位置に位置する状態で、前記第一レール部材および前記第二レール部材を前記枠体に引き込むと、前記トリガー部材が前記第三框に当接し、前記第一レール部材および前記第二レール部材の前記枠体への引き込みが許容され、前記障子が前記閉鎖位置からスライドしている状態で、前記第一レール部材および前記第二レール部材を前記枠体に引き込むと、前記トリガー部材が前記障子に当接せず、前記第一レール部材および前記第二レール部材の前記枠体への引き込みが規制される請求項１に記載の建具。
【請求項３】
前記突出維持部品は、
前記枠体に取り付けられた基部と、
この基部に対して、前記第一レール部材および前記第二レール部材の突き出し方向に進退自在に設けられ前記トリガー部材が出没自在に設けられた進退部材と、
前記進退部材を前記突き出し方向に付勢し、前記トリガー部材を前記進退部材から前記突き出し方向に付勢する付勢部材と、
前記トリガー部材が突き出されている場合に前記進退部材の後退を規制し、前記トリガー部材が没入されている場合に前記進退部材の後退を許容するロック機構と、を備え、
前記障子が前記閉鎖位置に位置する状態で、前記第一レール部材および前記第二レール部材を前記枠体に引き込むと、前記トリガー部材が前記障子の第三框に当接して没入し、前記第一レール部材および前記第二レール部材の前記枠体への引き込みが許容され、
前記障子が前記閉鎖位置からスライドしている状態で、前記第一レール部材および前記第二レール部材を前記枠体に引き込むと、前記トリガー部材が前記障子に当接せず、前記進退部材の後退が規制されて前記第一レール部材および前記第二レール部材の前記枠体への引き込みが規制される請求項２に記載の建具。
【請求項４】
前記基部は、前記枠体に取り付ける取付部と、この取付部から室外に伸びて設けられたガイド部と、このガイド部に沿って配置され基端が前記取付部に固定されたロッド部とを有し、
前記進退部材は、前記ガイド部に進退自在に設けられ、かつ、室外側に前記第一框に当接可能な端面が形成され、
前記ロック機構は、前記進退部材の進退方向とは交差する方向に進退自在に設けられかつ室内側に第一傾斜面が形成されるとともに室外側に第二傾斜面が形成されたロック部材と、前記第一傾斜面に係合する駒側傾斜面が形成され前記進退部材に設けられた駒部材と、を備え、
前記トリガー部材は、前記駒部材より室外側に配置され前記第二傾斜面と係合するトリガー側カム面が形成され、かつ、前記進退部材に没入することで前記ロック部材と前記駒部材との係合を解除するトリガー本体と、このトリガー本体に設けられ前記付勢部材の一端を係止する係止部とを有し、
前記付勢部材は、前記係止部に一端が係止され他端側が前記ロッド部に内部が案内されるコイルばねを有する請求項３に記載の建具。
【請求項５】
前記第一框は上框であり、前記第二框は下框であり、前記第三框は縦框であり、
前記枠体は、上枠材、下枠材、および左右の縦枠材を備え、
前記突出維持部品は、前記突出維持部品は前記縦枠材の上部に配置され、かつ、前記障子が前記閉鎖位置に位置する状態で、前記トリガー部材の先端部が前記縦框に当接可能とされ、前記障子が前記閉鎖位置からスライドしている状態で、前記進退部材の先端が前記上框に当接可能とされる請求項４に記載の建具。
【請求項６】
フレームに対してフレームの見込み方向に突き出しおよび引き込み可能に設けられた一対の面材保持用レールの長手方向に沿って閉鎖位置からスライド開閉自在とされた面材が閉鎖位置に位置している状態では前記面材の前記フレームへの引き込みを許容し前記面材が閉鎖位置からスライドしている状態では、前記面材保持用レールの前記フレームへの引きこみを規制する突出維持部品であって、
前記フレームに取り付けられた基部と、
この基部に対して、前記面材保持用レールの突き出し方向に進退自在に設けられた進退部材と、
前記進退部材から前記面材保持用レールの突き出し方向に出没自在とされたトリガー部材と、
前記進退部材を前記突き出し方向に付勢し、前記トリガー部材を前記進退部材から前記突き出し方向に付勢する付勢部材と、
前記トリガー部材が突き出されている場合に前記進退部材の後退を規制し、前記トリガー部材が没入されている場合に前記進退部材の後退を許容するロック機構と、を備え、
前記面材が前記閉鎖位置に位置する状態で、前記面材保持用レールを前記フレームに引き込むと、前記トリガー部材が前記面材に当接して没入し、前記面材保持用レールの前記フレームへの引き込みが許容され、
前記面材が前記閉鎖位置からスライドしている状態で、前記面材保持用レールを前記フレームに引き込むと、前記トリガー部材が前記面材に当接せず、前記進退部材の後退が規制されて前記面材保持用レールの前記フレームへの引き込みが規制される突出維持部品。
【発明の詳細な説明】
【技術分野】
【０００１】
本発明は、室内外に向けて一対のレール部材が枠体から突き出しおよび引き込み可能とされ、この一対のレール部材の長手方向に沿って障子が閉鎖位置から開放位置までスライドする建具、および突出維持部品に関する。
【背景技術】
【０００２】
外壁に枠体を取り付け、この枠体に複数の障子を設け、障子を開けたとき、または、閉めたときに、障子が行き過ぎないために戸当りが設けられた引き戸が知られている。
このタイプの従来例として、複数の障子を並べ、これらの障子のうち開扉状態の障子の閉扉状態の障子側への移動を規制する戸当りを開扉状態の障子に設ける引き戸がある（特許文献１）。
この特許文献１で示される従来例では、戸当りは、障子の縦框の見付け面に設けられた支持金物とクッション材とから構成され、クッション材に開扉状態の障子が当接する。
【０００３】
従来例として、扉枠の上枠の戸先側上部と戸尻側上部とにアーム状のヒンジの一端を回動可能に設け、これらのヒンジの他端部にスライドガイド部材を連結し、スライドガイド部材に扉を移動自在に支持し、扉枠の下枠の戸尻側下部にアーム状のヒンジの一端を回動自在に設け、このヒンジの他端を扉に設けられた案内溝に係合し、戸尻側上部のヒンジの他端部と戸尻側下部のヒンジの他端部とを連結軸で連結した建物用スライドドアがある（特許文献２）。
【先行技術文献】
【特許文献】
【０００４】
【特許文献１】実公平５−１０１２８号公報（図６）
【特許文献２】特許５０１３５３７号公報
【発明の概要】
【発明が解決しようとする課題】
【０００５】
特許文献１で示される従来例は、一方の障子のスライド方向（見付け方向）の移動を他方の障子に設けられた戸当りで規制するものであるが、室内外方向（見込み方向）での障子の移動を規制するものではない。
このタイプの引き戸において、スライドした状態の障子をそのまま枠体に引き込もうとすると、この障子が外壁、枠体、さらには、他の障子と干渉するという課題が生じるが、特許文献１で示される戸当りは、複数の障子のスライド方向の相対的な移動を規制するものであるため、この課題を解決できるものではない。
【０００６】
特許文献２の従来例は、枠体から障子を障子枠ごと室外に突き出し、突き出された障子を障子枠の上でスライドさせて窓を開放するタイプであるが、スライドした障子をそのまま引き込むことを規制する技術はない。
【０００７】
本発明の目的は、障子がスライドしている状態での枠体への引きこみを規制することができる建具および突出維持部品を提供することにある。
【課題を解決するための手段】
【０００８】
本発明の建具は、枠体と、この枠体に対して枠体の見込み方向に突き出しおよび引き込み可能に設けられた第一レール部材および第二レール部材と、前記第一レール部材に案内される第一框および前記第二レール部材に案内される第二框を有し、前記第一レール部材および前記第二レール部材の長手方向に沿って閉鎖位置からスライド可能とされた障子と、前記障子が閉鎖位置に位置する状態では、前記第一レール部材および前記第二レール部材の前記枠体への引きこみを許容し、前記障子が閉鎖位置からスライドしている状態では、前記第一レール部材および前記第二レール部材の前記枠体への引きこみを規制する突出維持部品と、を備えたことを特徴とする。
【０００９】
この構成の本発明では、閉鎖位置に位置する障子を第一レール部材および第二レール部材ごと枠体から見込み方向に突き出し、その後、これらのレール部材に沿って障子をスライドさせると、窓が開放される。窓が完全に開放された状態あるいは窓が一部開放された状態（障子が閉鎖位置からスライドした状態）で、障子を第一レール部材および第二レール部材ごと枠体へ引き込もうとすると、障子が突出維持部品に当接することになり、障子の枠体への引き込みが規制される。これにより、障子が枠体自体や枠体が設けられる外壁に干渉することがないので、障子が破損等することがない。
一方、障子が閉鎖位置に位置する状態で、障子をレール部材ごと枠体へ引き込むと、この障子の引き込みを突出維持部品が許容するので、障子は枠体に収まることになる。
【００１０】
本発明の建具では、前記障子は、前記第一框および前記第二框の両端部同士を接続する第三框および第四框を有し、前記突出維持部品は、前記第一レール部材および前記第二レール部材の突き出し方向に出没自在とされたトリガー部材を備え、前記障子が前記閉鎖位置に位置する状態で、前記第一レール部材および前記第二レール部材を前記枠体に引き込むと、前記トリガー部材が前記第三框に当接し、前記第一レール部材および前記第二レール部材の前記枠体への引き込みが許容され、前記障子が前記閉鎖位置からスライドしている状態で、前記第一レール部材および前記第二レール部材を前記枠体に引き込むと、前記トリガー部材が前記障子に当接せず、前記第一レール部材および前記第二レール部材の前記枠体への引き込みが規制される構成が好ましい。
【００１１】
この構成では、障子が枠体から突き出されており、かつ、障子が閉鎖位置からスライドしている状態で、この障子をレール部材ごと枠体へ引き込もうとすると、トリガー部材は障子に当接しないので、障子の後退が規制される。一方、障子が閉鎖位置にある状態で、障子を引き込もうとすると、トリガー部材が障子の第三框に当接する。すると、障子の引き込みに伴って、第一レール部材および第二レール部材の枠体への引き込みが許容されて障子が枠体に収まることになる。
したがって、障子が閉鎖位置に位置する状態で、トリガー部材が障子に当接する部位を特定したので、障子の開閉に伴って突出維持部品を確実に作動させることができる。
【００１２】
本発明の建具では、前記突出維持部品は、前記枠体に取り付けられた基部と、この基部に対して、前記第一レール部材および前記第二レール部材の突き出し方向に進退自在に設けられ前記トリガー部材が出没自在に設けられた進退部材と、前記進退部材を前記突き出し方向に付勢し、前記トリガー部材を前記進退部材から前記突き出し方向に付勢する付勢部材と、前記トリガー部材が突き出されている場合に前記進退部材の後退を規制し、前記トリガー部材が没入されている場合に前記進退部材の後退を許容するロック機構と、を備え、前記障子が前記閉鎖位置に位置する状態で、前記第一レール部材および前記第二レール部材を前記枠体に引き込むと、前記トリガー部材が前記障子の第三框に当接して没入し、前記第一レール部材および前記第二レール部材の前記枠体への引き込みが許容され、前記障子が前記閉鎖位置からスライドしている状態で、前記第一レール部材および前記第二レール部材を前記枠体に引き込むと、前記トリガー部材が前記障子に当接せず、前記進退部材の後退が規制されて前記第一レール部材および前記第二レール部材の前記枠体への引き込みが規制される構成が好ましい。
【００１３】
この構成では、付勢部材によって進退部材が突き出され、さらに、進退部材からトリガー部材から突き出されることになる。
ここで、障子が枠体から突き出されており、かつ、閉鎖位置からスライドしている状態で、障子をレール部材ごと枠体へ引き込もうとすると、トリガー部材は障子に当接しないので、ロック機構によって進退部材の後退が規制される。これにより、障子の枠体などへの干渉が規制される。一方、突き出された障子が閉鎖位置に位置する状態で、障子を引き込むと、トリガー部材が障子の第三框に当接する。すると、障子の引き込みに伴って、トリガー部材が付勢部材の付勢力に抗して進退部材に没入され、ロック機構によって進退部材の後退が許容される。引き続き、障子を引き込むと、進退部材は障子とともに枠体に収まることになる。
したがって、突出維持部品を、トリガー部材の出没状態によって進退部材の後退を規制あるいは許容するロック機構を備えて構成したから、障子の開閉に伴って突出維持部品をより確実に作動させることができる。
【００１４】
本発明の建具では、前記基部は、前記枠体に取り付ける取付部と、この取付部から室外に伸びて設けられたガイド部と、このガイド部に沿って配置され基端が前記取付部に固定されたロッド部とを有し、前記進退部材は、前記ガイド部に進退自在に設けられ、かつ、室外側に前記第一框に当接可能な端面が形成され、前記ロック機構は、前記進退部材の進退方向とは交差する方向に進退自在に設けられかつ室内側に第一傾斜面が形成されるとともに室外側に第二傾斜面が形成されたロック部材と、前記第一傾斜面に係合する駒側傾斜面が形成され前記進退部材に設けられた駒部材と、を備え、前記トリガー部材は、前記駒部材より室外側に配置され前記第二傾斜面と係合するトリガー側カム面が形成され、かつ、前記進退部材に没入することで前記ロック部材と前記駒部材との係合を解除するトリガー本体と、このトリガー本体に設けられ前記付勢部材の一端を係止する係止部とを有し、前記付勢部材は、前記係止部に一端が係止され他端側が前記ロッド部に内部が案内されるコイルばねを有する構成が好ましい。
【００１５】
この構成では、閉鎖位置に位置する障子を枠体に引き込むと、障子の第三框がトリガー本体に当接し、このトリガー本体がコイルばねの付勢力に抗して進退部材に没入する。すると、トリガー本体がトリガー側カム面で第二傾斜面を係合しながらロック部材を駒部材側に向けて押すことになるが、このロック部材の第一傾斜面が駒部材の駒側傾斜面に係合されていることから、ロック部材はトリガー本体の移動方向とは交差する方向に移動する。ロック部材が移動してトリガー本体と駒部材との間から外れると、進退部材の後退が許容されることになる。さらに、進退部材がガイド部に沿って後退することで、障子が枠体に収まることになる。
したがって、ロック機構を、第一傾斜面と第二傾斜面とが形成されたロック部材と、駒側傾斜面が形成された駒部材とを備えて構成したので、進退部材の後退の規制あるいは許容を、傾斜面を用いた簡易な構造で実現することができる。その上、取付部から室外に伸びてガイド部を設け、このガイド部に沿って進退部材を進退自在に設け、トリガー部材に設けられた係止部と基部に設けられたロッド部とにコイルばねを係止したので、トリガー部材および進退部材の進退方向を障子の出没方向と合わせることで、ロック機構を正確に作動させることができる。
【００１６】
本発明の建具では、前記第一框は上框であり、前記第二框は下框であり、前記第三框は縦框であり、前記枠体は、上枠材、下枠材、および左右の縦枠材を備え、前記突出維持部品は、前記縦枠材の上部に配置され、かつ、前記障子が前記閉鎖位置に位置する状態で、前記トリガー部材の先端部が前記縦框に当接可能とされ、前記障子が前記閉鎖位置からスライドしている状態で、前記進退部材の先端が前記上框に当接可能とされる構成が好ましい。
この構成では、障子を左右にスライドさせる引き戸において、障子がスライドしている状態での枠体への引きこみを規制することができる。しかも、突出維持部品を縦枠材の上部に配置したので、突出維持部品を縦枠材の下部に配置した場合に比べて、突出維持部品が目立ちにくい位置にあるので、外観が良好となる。
【００１７】
本発明の突出維持部品は、フレームに対してフレームの見込み方向に突き出しおよび引き込み可能に設けられた一対の面材保持用レールの長手方向に沿って閉鎖位置からスライド開閉自在とされた面材が閉鎖位置に位置している状態では前記面材の前記フレームへの引き込みを許容し前記面材が閉鎖位置からスライドしている状態では、前記面材保持用レールの前記フレームへの引きこみを規制する突出維持部品であって、前記フレームに取り付けられた基部と、この基部に対して、前記面材保持用レールの突き出し方向に進退自在に設けられた進退部材と、前記進退部材から前記面材保持用レールの突き出し方向に出没自在とされたトリガー部材と、前記進退部材を前記突き出し方向に付勢し、前記トリガー部材を前記進退部材から前記突き出し方向に付勢する付勢部材と、前記トリガー部材が突き出されている場合に前記進退部材の後退を規制し、前記トリガー部材が没入されている場合に前記進退部材の後退を許容するロック機構と、を備え、前記面材が前記閉鎖位置に位置する状態で、前記面材保持用レールを前記フレームに引き込むと、前記トリガー部材が前記面材に当接して没入し、前記面材保持用レールの前記フレームへの引き込みが許容され、前記面材が前記閉鎖位置からスライドしている状態で、前記面材保持用レールを前記フレームに引き込むと、前記トリガー部材が前記面材に当接せず、前記進退部材の後退が規制されて前記面材保持用レールの前記フレームへの引き込みが規制されることを特徴とする。
この構成の本発明では、面材がスライドしている状態、つまり、空間を完全に閉塞していない状態でのフレームへの引きこみを規制することができる突出維持部品を簡易な構造で提供することができる。
【発明の効果】
【００１８】
本発明では、障子がスライドしている状態での枠体への引きこみを規制することができる。
【図面の簡単な説明】
【００１９】
【図１】本発明の一実施形態に係る建具を室外から見た斜視図。
【図２】建具を室外から見た正面図。
【図３】建具を室内から見た正面図。
【図４】建具の一方の側面図。
【図５】建具の他方の側面図。
【図６】建具の上面図。
【図７】建具の底面図。
【図８】突出維持部品が枠体に取り付けられた状態を示す側面図。
【図９】突出維持部品が枠体に取り付けられた状態を示す平面図。
【図１０】突出維持部品の斜視図。
【図１１】突出維持部品の断面図。
【図１２】施錠機構を示す概略図。
【図１３】突出機構を示す概略斜視図。
【図１４】突出機構を示す概略平面図。
【図１５】建具の下部の側面図。
【図１６】障子の縦框が突出維持部品に対向する状態を示す概略平面図。
【図１７】（Ａ）はトリガー部材が進退部材に対して没入した状態を示す縦断面図、（Ｂ）は進退部材が押し込まれた状態を示す縦断面図。
【図１８】進退部材が押し込まれた状態を示す概略平面図。
【図１９】進退部材が押し込まれた状態を示す概略側面図。
【図２０】本発明の変形例にかかる建具を示すもので、障子が突き出されるとともにスライドした状態を示す平面図。
【図２１】変形例にかかる建具を示すもので、障子が突き出されるとともに閉鎖位置にある状態を示す平面図。
【図２２】変形例にかかる建具を示すもので、障子が枠体に引き込まれた状態を示す平面図。
【発明を実施するための形態】
【００２０】
本発明の一実施形態を図面に基づいて説明する。本実施形態の建具は平行突き出しスライド窓である。図１から図７には、窓が開放された状態が示されている。
【００２１】
［建具の全体構成］
図１から図７において、建具１は、図示しない建物の外壁に取付けられる上枠材１１および下枠材１２と、左右縦枠材１３，１４とから枠組みされて成る矩形状の枠体１０と、この枠体１０の上枠材１１および下枠材１２に対してそれぞれ対向する位置に設けられ、室外に向けて突き出しおよび引き込みが可能に設けられた上下のレール部材２１，２２と、これらのレール部材２１，２２の間の空間２０をスライド開閉する障子３０と、枠体１０に設けられレール部材２１，２２の枠体１０からの突き出しおよび引き込みを案内するガイド機構４０と、枠体１０とレール部材２１，２２との間に設けられ障子３０を枠体１０から平行に突き出す突出機構５０と、障子３０を施錠する施錠機構３とを備えて構成されている。
なお、障子３０がレール部材２１，２２の間の空間２０に位置して枠体１０と正対する正面に位置する場合が障子３０の半閉鎖位置であり、障子３０がレール部材２１，２２の間の空間２０から移動して枠体１０に対し最もスライドした状態が開放位置である。半閉鎖位置にある障子３０が上下のレール部材２１，２２ごと枠体１０に収納されている状態では、障子３０と枠体１０とは密閉される閉鎖位置であり、障子３０が完全に閉じられている。
【００２２】
上下のレール部材２１，２２は、それぞれ水平に伸びており、上のレール部材２１と下のレール部材２２との一端部（図１および図２において左端部）の間は縦枠が省略された開放端とされている。レール部材２１，２２の開放端は障子３０のスライドを許容するものである。これらのレール部材２１，２２には、開放端から障子３０が脱落することを防止するための図示しないストッパが設けられている。
障子３０は、上框３１および下框３２と、左右縦框３３、３４とから框組みされて成る矩形状の框材３００およびこの框材３００内に設けられたガラス・アクリル板等からなる面材３０１から構成されている。
図２で左側（図３で右側）に配置された縦枠材１３の内周面には、突き出された上下のレール部材２１，２２を、障子３０が空間２０に位置して枠体１０と正対する正面に位置する半閉鎖位置の状態で枠体１０への引きこみを許容し、障子３０が空間２０から移動して枠体１０に対しスライドした状態で枠体１０への引きこみを規制する突出維持部品７が設けられている。
障子３０は、上框３１および下框３２と、左右縦框３３、３４とから框組みされて成る矩形状の框材３００およびこの框材３００内に設けられたガラス・アクリル板等からなる面材３０１から構成されている。
図２で左側（図３で右側）に配置された縦枠材１３の内周面には、突き出された上下のレール部材２１，２２を、障子３０が空間２０に位置して枠体１０と正対する正面に位置する半閉鎖位置の状態で枠体１０への引きこみを許容し、障子３０が空間２０から移動して枠体１０に対しスライドした状態で枠体１０への引きこみを規制する突出維持部品７が設けられている。
なお、上・下・左右縦枠材１１，１２、左右縦枠材１３，１４および上・下・左右縦框３１、３２、３３、３４並びにレール部材２１，２２は、アルミや樹脂の押出し、引抜きの成形品或は木製の成形品等から成っている。
【００２３】
［突出維持部品の構造］
図８から図１１には突出維持部品７の詳細な構成が示されている。なお、図８から図１０では、障子３０が閉鎖位置になくスライドした状態が示されている。
図８から図１１において、突出維持部品７は、枠体１０の内周面の上部に取り付けられた基部７０と、この基部７０において室外内に進退自在に設けられた進退部材７１と、この進退部材７１に設けられた付勢部材としてのコイルばね７２と、進退部材７１の後退を規制あるいは許容するロック機構７３と、このロック機構７３を作動させるトリガー部材７４とを備えている。
【００２４】
基部７０は、縦枠材１３の内面に取り付ける取付部７００と、この取付部７００から室外に伸びて設けられた略角筒状のガイド部７０１と、このガイド部７０１の軸方向に沿って配置されたロッド部７０２とを有する。
図８および図１１において、取付部７００は、縦枠材１３の内面に当接する取付片部７００Ｂと、この取付片部７００Ｂに設けられたベース片部７００Ａと、取付片部７００Ｂおよびベース片部７００Ａの周縁部に設けられた補強片部７００Ｃとを有する。
取付部７００は、後退した進退部材７１およびロック部材７５を収納できるスペースＳを有する。
ガイド部７０１は、上方に開口７０１Ｂを有する断面コ字状部材である（図１０参照）。
ロッド部７０２の基端はベース片部７００Ａの中央部分に固定されている。ロッド部７０２はコイルばね７２の基端部を係止する。
【００２５】
進退部材７１は、ガイド部７０１の開口７０１Ｂに沿って進退自在に設けられている。
進退部材７１の室内側はＬ字状に形成されており、そのＬ字状の内側の空間がロック機構７３の可動を許容するスペース７１Ｃとされている。
進退部材７１の内部にはトリガー部材７４をガイド部７０１の軸方向に沿って進退自在に保持するための保持孔７１Ｂが形成されている。
図８および図９に示される通り、進退部材７１の室外側の下部はトリガー部材７４が突出する部分であり、この部分より上方の端面７１Ａは、障子３０が閉鎖位置からスライドした状態では、上框３１に当接可能とされている。障子３０が閉鎖位置からスライドした状態では、トリガー部材７４の先端部は上框３１から下方に位置し、縦框３３からも左右方向で離れているので、トリガー部材７４は障子３０に当接しない。
【００２６】
図１１において、ロック機構７３は、進退部材７１の進退方向とは直交する方向に進退自在に設けられたロック部材７５と、進退部材７１に取り付けられた駒部材７６とを有する。
ロック部材７５は、角筒状のブロック７５Ａと、このブロック７５Ａに一体形成されたフック部７５Ｂとを有する。
ブロック７５Ａの内周部には、室内側に第一傾斜面７５１が形成されるとともに室外側に第二傾斜面７５２が形成されている。ブロック７５Ａの室外側端面には、進退部材７１と当接する当接面７５３が形成されている。
フック部７５Ｂは、進退部材７１のスペース７１Ｃで移動自在とされており、かつ、進退部材７１に形成された突起７１Ｄと係合可能な突起７５４が形成されている。
駒部材７６の室外側の端部には第一傾斜面７５１に係合する駒側傾斜面７６１が形成されている。
【００２７】
トリガー部材７４は、ロック部材７５より室外側に配置され第二傾斜面７５２と係合するトリガー側カム面７７１が形成された棒状のトリガー本体７７と、このトリガー本体７７の周面から突出して形成された係合片部７８とを有する。
障子３０が閉鎖位置にある状態では、トリガー本体７７の先端と進退部材７１の端面７１Ａとは縦框３３に当接可能とされている（図１７参照）。
ロック部材７５は、その自重によって下がり、トリガー本体７７と駒部材７６との間に位置する。この状態では、第二傾斜面７５２がトリガー側カム面７７１と係合されるとともに第一傾斜面７５１が駒側傾斜面７６１と係合されている。この状態で、トリガー部材７４が没入、つまり、駒部材７６に向けて移動すると、ロック部材７５が上方に持ち上がり、ロック部材７５のトリガー部材７４と駒部材７６との係合が外れる。なお、本実施形態では、ロック部材７５を自重によってトリガー本体７７と駒部材７６との間に位置させる構成に限定されるものではなく、フック部７５Ｂと進退部材７１との間にトリガー本体７をトリガー本体７７と駒部材７６との間に向けて付勢するばねを用いるものでもよい。
係合片部７８の室外側の面が進退部材７１の室外側に形成された当接片部７１Ｅと当接可能である。係合片部７８は、コイルばね７２の先端部を係止する係止部を兼ねているものである。そのため、コイルばね７２の付勢力で付勢されたトリガー部材７４は進退部材７１とともに室外側に向けて突出される。なお、トリガー本体７７の係合片部７８から室内側の部位にはコイルばね７２を収納するためのばね収納部７７Ａが形成されている。
【００２８】
［施錠用ハンドルの施錠構造］
図１２において、施錠機構３は、施錠用ハンドル３５と、この施錠用ハンドル３５に連結され障子３０の縦框３４の上下に沿って進退自在に設けられた連結部材３６と、施錠用ハンドルの回動操作を障子３０が完全に閉じられている場合にのみ許容する操作部トリガー機構３７と、障子３０の枠体１０からの突き出しを許容あるいは規制する錠機構３８とを備える。
施錠用ハンドル３５は、縦框３４に設けられた基部３５０と、この基部３５０に回動自在に設けられたレバー部３５１とを備えている。レバー部３５１は、その先端が下方に向くオールロック状態（０°）と、長手方向が水平となる一部ロック状態（９０°）と、その先端が上方に向くロック解除状態（１８０°）との３位置に切り換え可能である。
【００２９】
図５および図１２において、連結部材３６は、レバー部３５１に連結されるベース部材３６１と、このベース部材３６１に進退自在に設けられ先端３６２Ａがレール部材２１の端部に当接可能な係止部材３６２とを備えている。レバー部３５１が０°の位置にあるオールロック状態では、ベース部材３６１および係止部材３６２は前進した位置にあって係止部材３６２の先端３６２Ａがレール部材２１の端部に係止されており、障子３０のレール部材２１，２２でのスライドが規制される。レバー部３５１が９０°の位置にある一部ロック状態では、ベース部材３６１のみが後退し係止部材３６２はそのままの位置にあり、障子３０のスライドが規制される。レバー部３５１が１８０°の位置にあるロック解除状態では、ベース部材３６１および係止部材３６２が後退した位置にあって係止部材３６２の先端３６２Ａがレール部材２１の端部から外れるので、障子３０はレール部材２１，２２の長手方向に沿ってスライド自在である。
【００３０】
錠機構３８は、ベース部材３６１に設けられた２本のロックピン３８１と、これらのロックピン３８１と係合可能な２つの受部材３８２とを有する。受部材３８２は縦枠材１４の内周面に設けられている。
障子３０の下框３２には、ベース部材３６１に連結される第一リンク板３８３が設けられ、この第一リンク板３８３に連結される第二リンク板３８４が縦框３３に設けられている。これらの第一リンク板３８３および第二リンク板３８４は、ベース部材３６１とともに連動するようになっている。
第二リンク板３８４には２本のピン部材３８６が設けられ、これらのピン部材３８６に係合可能な受材３８７が縦枠材１３の内周面に２箇所設けられている。
レバー部３５１が０°の位置にあるオールロック状態では、ロックピン３８１は受部材３８２と同じ高さ位置であって受部材３８２より室内側にあり、同様に、ピン部材３６６は受材３８７とは同じ高さ位置であって受材３８７より室内側にあるため、障子３０を室側に向けて押し出しても、障子３０およびレール部材２１，２２の突き出しが規制される。レバー部３５１が図１２で示される９０°の位置にある一部ロック状態や、１８０°の位置にあるロック解除状態では、ロックピン３８１は受部材３８２より低い位置となり、ピン部材３６６は受材３８７より高い位置となるため、障子３０を室側に向けて押し出すと、障子３０およびレール部材２１，２２の突き出しが許容される。
【００３１】
［突出機構］
図１３において、突出機構５０は、上枠材１１とレール部材２１との間に設けられた第一リンク機構５１と、下枠材１２とレール部材２２との間に設けられた第二リンク機構５２と、第一リンク機構５１と第二リンク機構５２とに連結される連動機構６０とを備えている。第一リンク機構５１と第二リンク機構５２とは対となっている。
第一リンク機構５１は、上枠材１１の長手方向に沿って３個設けられており、３個の第一リンク機構５１のうち２個が縦枠材１３に近接配置され、残り１個が縦枠材１４に近接配置されている。
第二リンク機構５２は、下枠材１２の長手方向に沿って３個設けられており、３個の第二リンク機構５２のうち２個が縦枠材１３に近接配置され、残り１個が縦枠材１４に近接配置されている。
【００３２】
［第一リンク機構および第二リンク機構］
図１３および図１４に示される通り、第二リンク機構５２は、レール部材２２に一端部が回動自在に支持された揺動リンク５３と、この揺動リンク５３の長さ方向の中間部分に一端が回動自在に支持された回動リンク５４と、この回動リンク５４の他端部がピン５４Ａで回動自在に支持された長尺状の固定片５５とを備えている。
固定片５５は下枠材１２の上面に固定されている。固定片５５にはレール部材２２の長手方向に沿って係合溝５５Ａが形成されている。この係合溝５５Ａには、揺動リンク５３の他端部に設けられたピン５３Ａが長手方向に移動自在に係合されている。回動リンク５４の他端部は固定片５５に回動自在に支持されている。回動リンク５４の回動支点であるピン５４Ａは、係合溝５５Ａの長手方向に沿った延長線上にある。
第一リンク機構５１は、第二リンク機構５２とほぼ同じ構造である。
【００３３】
［連動機構］
図１３および図１４において、連動機構６０は、第一リンク機構５１と第二リンク機構５２とのレール部材２１，２２に対する突出と没入とを連動させるものであり、第一リンク機構５１の揺動リンク５３に連結された第一リンケージバー６１と、第二リンク機構５２の揺動リンク５３に連結された第二リンケージバー６２と、これらの第一リンケージバー６１と第二リンケージバー６２とを連結した第三枠材としての縦枠材１４の上下方向に沿って往復動自在に設けられた第三リンケージバー６３とを有する。
第二リンケージバー６２と第二リンク機構５２の揺動リンク５３とは、固定片５５の係合溝５５Ａに係合されたピン５３Ａで連結されている。第二リンケージバー６２には、長手方向に沿って揺動リンク５３の回動支点であるピン５３Ａが第二リンク機構５２の数に応じて３箇所形成されている。同様に、第一リンケージバー６１と第一リンク機構５１の揺動リンク５３とは、固定片５５の係合溝５５Ａに係合された図示しないピンで連結されている。
図１３において、第一リンケージバー６１と第三リンケージバー６３とはコーナー用連結部材６５で連結されている。このコーナー用連結部材６５は、上枠材１１と縦枠材１３との接続部分に固定された案内部材６６に案内されている。同様に、第二リンケージバー６２と第三リンケージバー６３とはコーナー用連結部材６５で連結されている。このコーナー用連結部材６５は、下枠材１２と縦枠材１３との接続部分に固定された案内部材６６に案内されている。
【００３４】
［上部ローラ部および下部ローラ部］
図３から図７に戻り、障子３０の上框３１にはレール部材２１に当接して転動する上部ローラ部２３が設けられ、障子３０の下框３２にはレール部材２２に当接して転動する下部ローラ部２４が設けられている。
図１５に示される通り、レール部材２２は、第二リンク機構５２に連結され水平方向に伸びて形成された連結板部２２１と、この連結板部２２１から折り曲げて形成され下部ローラ部２４を案内するレール本体２２２とを有する。なお、上のレール部材２１は下のレール部材２２とは上下が逆となる形状である。
【００３５】
［ガイド機構］
図１５において、ガイド機構４０は、下枠材１２から室外側に突出して設けられたガイド片４１と、これらのガイド片４１の上面にそれぞれ転動するガイドローラ４２とを有する。
ガイドローラ４２は、第二レール部材２２の下面に基端部が固定された取付片部４２１と、この取付片部４２１の室側側先端に設けられたローラ本体４２２とを有する。
【００３６】
［本実施形態の作用］
本実施形態の作用を図１６から図１９を参照して説明する。図１６から図１９には障子３０が閉鎖位置に位置する状態の障子３０と突出維持部品７との関係が示されている。
まず、窓が全開の状態では、第一レール部材２１および第二レール部材２２が枠体１０から突き出されているとともに、障子３０がスライドして開放位置にある。この状態から、窓を閉じるには、障子３０を閉鎖位置までスライドさせる。障子３０が閉鎖位置にある状態では、障子３０は枠体１０の正面に位置するので、障子３０の縦框３３は、突出維持部品７が設けられた縦枠材１３に近接することになる。
【００３７】
図１６に示される通り、枠体１０から室外に突き出された障子３０の縦框３３は突出維持部品７のトリガー本体７７の先端に対向する。その後、施錠用ハンドル３５をもって障子３０を手前に引く。すると、障子３０を保持するレール部材２１，２２が枠体１０に引き込まれる。レール部材２１，２２が枠体１０に引き込まれると、第一リンク機構５１および第二リンク機構５２が作動するとともに、第一リンケージバー６１、第二リンケージバー６２および第三リンケージバー６３が移動するので、障子３０は平行状態を維持しながらレール部材２１，２２とともに枠体１０に引き込まれる。
【００３８】
障子３０が枠体１０に少し引き込まれると、図１７（Ａ）に示される通り、障子３０の縦框３３がトリガー本体７７の先端に当接し、トリガー部材７４はコイルばね７２の付勢力に抗して進退部材７１に対して没入する。すると、ロック部材７５の第二傾斜面７５２がトリガー側カム面７７１に対して滑るとともに第一傾斜面７５１が駒側傾斜面７６１に対して滑る。トリガー本体７７が没入し続けると、ロック部材７５は、上方に移動してトリガー部材７４と駒部材７６とから外される。
さらに、障子３０が枠体１０に引き込まれ続けると、図１７（Ｂ）、図１８および図１９に示される通り、進退部材７１の端面が縦框３３に当接してトリガー部材７４とともに後退する。これにより、障子３０は突出維持部品７とともに枠体１０に収納されることになる。
枠体１０に障子３０が引き込まれたら、施錠用ハンドル３５を操作して施錠する。
【００３９】
また、図８および図９に示される通り、障子３０が半閉鎖位置からスライドした状態では、障子３０の縦框３３が枠体１０の縦枠材１３から離れ、かつ、障子３０の上框３１が進退部材７１の端面に対向することになる。この状態で、障子３０を引き込もうとすると、上框３１が進退部材７１の端面７１Ａに当接する。これにより、進退部材７１は室内側に移動しようとするが、図１１に示される通り、進退部材７１がロック部材７５の当接面７５３と当接するので、ロック部材７５が上方に動くことがない。そのため、障子３０の引き込みが突出維持部品７で規制される。
【００４０】
［本実施形態の効果］
従って、本実施形態では次の作用効果を奏することができる。
（１）第一レール部材２１と第二レール部材２２との長手方向に沿って障子３０をスライド開閉自在とし、枠体１０から突き出された第一レール部材２１および第二レール部材２２を、障子３０が閉鎖位置に位置する状態で枠体１０への引きこみを許容し、障子３０が閉鎖位置からスライドしている状態で枠体１０への引きこみを規制する突出維持部品７を設けたから、障子３０がスライドした状態で、障子３０を第一レール部材２１および第二レール部材２２ごと枠体１０へ引き込もうとすると、障子３０が突出維持部品７に当接することになり、障子３０の枠体１０への引き込みが規制される。そのため、障子３０が枠体１０や外壁に干渉することがないので、障子３０の破損等を防止することができる。
【００４１】
（２）突出維持部品７は、第一レール部材２１および第二レール部材２２の突き出し方向に出没自在とされたトリガー部材７４を備え、障子３０が閉鎖位置に位置する状態で、第一レール部材２１および第二レール部材２２を枠体１０に引き込むと、トリガー部材７４が障子３０の縦框３３に当接し、第一レール部材２１および第二レール部材２２の枠体１０への引き込みが許容され、障子３０が閉鎖位置からスライドしている状態で、第一レール部材２１および第二レール部材２２を枠体１０に引き込むと、トリガー部材７４が障子３０に当接せず、第一レール部材２１および第二レール部材２２の枠体１０への引き込みが規制される。そのため、障子３０が閉鎖位置に位置する状態で、トリガー部材７４が障子３０に当接する部位を縦框３３に特定したので、障子３０の開閉に伴って突出維持部品７を確実に作動させることができる。
【００４２】
（３）突出維持部品７は、基部７０に対して室外内に進退自在に設けられた進退部材７１と、進退部材７１とトリガー部材７４とを室外に向けて付勢するコイルばね７２と、トリガー部材７４で操作され進退部材７１の後退を規制あるいは許容するロック機構７３とを備え、障子３０が閉鎖位置に位置する状態で、第一レール部材２１および第二レール部材２２を枠体１０に引き込むと、トリガー部材７４が障子３０の縦框３３に当接して没入して第一レール部材２１および第二レール部材２２の枠体１０への引き込みが許容され、障子３０が閉鎖位置からスライドしている状態で、第一レール部材２１および第二レール部材２２を枠体１０に引き込むと、トリガー部材７４が障子３０に当接せず進退部材７１の後退が規制されて第一レール部材２１および第二レール部材２２の枠体１０への引き込みが規制される構成とした。そのため、突出維持部品７を、トリガー部材７４の出没状態によって進退部材７１の後退を規制あるいは許容するロック機構７３を備えて構成したから、障子３０の開閉に伴って突出維持部品７の作動をより確実にすることができる。
【００４３】
（４）トリガー部材７４は突出時に進退部材７１に係合する係合片部７８を有し、トリガー部材７４を突出方向にコイルばね７２で付勢する構成としたから、進退部材７１およびトリガー部材７４の室外への付勢を１つのコイルばね７２で行うので、部品点数の減少を図ることができる。
【００４４】
（５）ロック機構７３を、第一傾斜面７５１と第二傾斜面７５２とが形成され進退部材７１の進退方向とは交差する方向に進退自在に設けられたロック部材７５と、駒側傾斜面７６１が形成され進退部材７１に設けられた駒部材７６とを備えて構成したから、進退部材７１の後退の規制あるいは許容を、カムを用いた簡易な構造で実現することができる。
【００４５】
（６）取付部７００から室外に伸びてガイド部７０１を設け、このガイド部７０１に沿って進退部材７１を進退自在に設け、トリガー部材７４に設けられた係合片部７８と基部７０に設けられたロッド部７０２との間にコイルばね７２を係止したから、トリガー部材７４と進退部材７１の進退方向が障子３０の出没方向と合うことになるので、ロック機構７３を正確に作動させることができる。
【００４６】
（７）障子３０が閉鎖位置にある状態では、トリガー部材７４の先端部は障子３０の縦框３３に当接可能とされ、障子３０が閉鎖位置からスライドしている状態では、進退部材７１の先端は障子３０の上框３１に当接可能とされ、かつ、トリガー部材７４の先端が障子３０とは当接しないので、障子３０を左右にスライドさせる引き戸において、障子３０が閉鎖位置からスライドしている状態での枠体１０への引きこみを確実に規制することができる。
【００４７】
（８）突出維持部品７は縦枠材１３の上部に配置されているので、突出維持部品７を縦枠材１３の下部に配置した場合に比べて、目立たない位置にあり、建具の外観が損なわれることが少ない。
【００４８】
（９）係合片部７８は、コイルばね７２の先端部を係止する係止部を兼ねているので、部品が共有化され、コストダウンを図ることができる。
【００４９】
（１０）トリガー本体７７の係合片部７８から室内側の部位にはコイルばね７２を収納するためのばね収納部７７Ａが形成されているから、省スペース化が図れ、突出維持部品７を小型化することができる。
【００５０】
［変形例］
なお、本発明は、前記実施形態に限定されるものではなく、本発明の目的を達成できる他の構成等を含み、以下に示すような変形等も本発明に含まれる。
例えば、本発明では、建具を、図２０から図２２に示される通り、段差無し引き違い窓に適用することができる。
【００５１】
図２０において、建具は、枠体１０Ａと、この枠体１０Ａから突き出し引き込み可能な障子３０Ａと、枠体１０Ａに固定された固定窓３０Ｂとを備える。枠体１０Ａは、左右の縦枠材１３Ａ，１４Ａと、中央の中央縦枠材１５Ａと、図示しない上枠材および下枠材とを有する。
障子３０Ａは、左右の縦框３３Ａ，３４Ａ、上框３１Ａおよび図示しない下框に面材３００Ａが設けられた構造である。この面材３００Ａは網が内部に設けられたガラス板である。同様に、固定窓３０Ｂは、左右の縦框３３Ｂ，３４Ｂおよび図示しない上框および下框に面材３００Ａが設けられた構造である。
障子３０Ａは、上下に配置された図示しない第一レール部材と第二レール部材とで案内されて図中左右にスライド自在であり、これらのレール部材は、図中、左側に配置された縦枠材１４Ａと中央縦枠材１５Ａとの間に設けられた上枠材と下枠材とから突き出し引き込み可能とされている。
【００５２】
当該変形例の突出維持部品７は、トリガー部材７４の先端が室外側に向くように中央縦枠材１５Ａに設けられている。障子３０Ａが突き出されるとともに閉鎖位置からスライドしている状態では、進退部材７１の端面が上框３１Ａに当接可能とされている。この状態で、障子３０Ａを枠体１０Ａに引き込もうとすると、前記実施形態と同様に、上框３１Ａが進退部材７１を押すことになるが、ロック機構（図２０では図示せず）が働いているので、進退部材７１が後退することがない。図２１に示される通り、障子３０Ａが閉鎖位置に位置する状態では、障子３０Ａの縦框３３Ａがトリガー部材７４の先端に対向している。この状態で、障子３０Ａを枠体１０Ａに引き込むと、トリガー部材７４が縦框３３Ａに押されることになる。すると、前記実施形態と同様に、トリガー部材７４が進退部材７１から没入してロック機構（図２１では図示せず）によって進退部材７１の後退が許容される。さらに、障子３０Ａを引き込むと、図２２に示される通り、トリガー部材７４および進退部材７１が後退し、障子３０Ａが枠体１０Ａに収納される。
【００５３】
さらに、本発明では、前述のような建具ではなく、室外に向けて一対の面材保持用レールを突き出し引き込み可能とし、面材保持用レールの長手方向に沿って閉鎖位置から開放位置までスライド自在とした建具にも適用することができる。
さらに、突出維持部品を建具に用いるものに限定されるものではなく、建具以外、例えば、自動車のスライドドア機構に用いるものでもよい。つまり、自動車のフレームから一つの面材保持用レールを突き出し可能とし、突き出された一対の面材保持用レールに閉鎖位置から開放位置まで面材としてのスライドドアをスライド自在に設けた自動車にも適用することができる。この場合、突出維持部品は、スライドドアが一対の面材保持用レールの閉鎖位置にある状態でスライドドアのフレームへの引きこみを許容し、スライドドアが閉鎖位置からスライドしている状態でスライドドアのフレームへの引きこみを規制する構成とするものであり、具体的には、前記実施形態の突出維持部品７と同じ構造である。
【００５４】
また、前記実施形態では、第一レール部材２１および第二レール部材２２を枠体１０から室外に向けて突き出し引き込む構成としたが、本発明では、この逆、つまり、第一レール部材２１および第二レール部材２２を枠体１０から室内に向けて突き出し引き込む構成でもよい。
また、前記実施形態では、レール部材を上下のレール部材２１，２２としたが、本発明では、これに限定されるものではなく、例えば、一対のレール部材を左右に配置されたレール部材とし、これらのレール部材に沿って障子を上下にスライドさせ、障子にスパイラルバランサを設ける構成としてもよい。障子を上下にスライドさせるタイプの建具では、第一框と第二框が左右の縦框であり、第三框が上框あるいは下框となる。
【００５５】
さらに、前記実施形態において、突出維持部品７を縦枠材１３の下部に配置するものでもよい。
また、係合片部７８は、コイルばね７２の先端部を係止する係止部を兼ねた構成としたが、係止部を係合片部７８とは別に設けるものでもよい。
さらに、コイルばね７２を１本の部材で構成したが、本発明では、コイルばねを、進退部材７１を付勢するためのものとトリガー部材７４を付勢するものとの２種類を設けてもよい。
また、付勢部材をコイルばね７２に代えてゴム部材としてもよい。
さらに、前記実施形態では、障子３０の上框３１に上部ローラ部２３が設けられ、下框３２に下部ローラ部２４が設けられた構成であるが、本発明では、必ずしも上部ローラ部２３および下部ローラ部２４を障子３０に設けることを要しない。これらのローラ部を設けるとしても、その構造は、前記実施形態に限定されるものではなく、通常、障子に用いられる戸車であってもよい。
本発明における第一レール部材２１および第二レール部材２２の断面形状は前記実施形態の断面形状に限定されるものではなく、障子などとの関係で適宜決定される。すなわち、レール部は、障子をスライドさせることが可能であれば、その断面形状は、襖の敷居や鴨居などのような凹状でもよく、凸状でも、あるいはヒレ状でもよい。レール部の材質は金属に限定されるものではなく、合成樹脂などでもよい。
【符号の説明】
【００５６】
１…建具、１０，１０Ａ…枠体、１１…上枠材、１２…下枠材、１３…縦枠材、１４…縦枠材、２０…空間、２１…第一レール部材、２２…第二レール部材、３０，３０Ａ…障子、３１…上框、３２…下框、３３，３４…縦框、３５…施錠用ハンドル、７…突出維持部品、７０…基部、７１…進退部材、７１Ａ…端面、７２…コイルばね(付勢部材)、７３…ロック機構、７４…トリガー部材、７５…ロック部材、７５１…第一傾斜面、７５２…第二傾斜面、７６…駒部材、７６１…駒側傾斜面、７００…取付部、７０１…ガイド部、７８…係止片部（係止部）
【図１】
2014134069.tif 000003
【図２】
2014134069.tif 000004
【図３】
2014134069.tif 000005
【図４】
2014134069.tif 000006
【図５】
2014134069.tif 000007
【図６】
2014134069.tif 000008
【図７】
2014134069.tif 000009
【図８】
2014134069.tif 000010
【図９】
2014134069.tif 000011
【図１０】
2014134069.tif 000012
【図１１】
2014134069.tif 000013
【図１２】
2014134069.tif 000014
【図１３】
2014134069.tif 000015
【図１４】
2014134069.tif 000016
【図１５】
2014134069.tif 000017
【図１６】
2014134069.tif 000018
【図１７】
2014134069.tif 000019
【図１８】
2014134069.tif 000020
【図１９】
2014134069.tif 000021
【図２０】
2014134069.tif 000022
【図２１】
2014134069.tif 000023
【図２２】
2014134069.tif 000024